(57)【要約】【課題】レンジフードの吸い込み面に設けられる整流板には、整流板の取り外しを検知する手段として、整流板に磁性体を取り付け、磁力を検知する方法が用いられていた。この磁性体の取り付けにおいては、フード部や整流板に凹凸や継ぎ目ができ、油煙や埃が固着して掃除が困難であった。【解決手段】整流板６の近接検知手段８は、フード部３内に設けられている。整流板６側にはフード部３に固定するための取付金具９が設けられ、その先端部分の接触部７は導電体で形成されている。近接検知手段８がレンジフード１の外郭板を介して導電体である接触部７が近接したことを検知する構成である。このような構成により、レンジフード１の外郭板、整流板６を凹凸のないものとして掃除性を向上することができる。【選択図】図１
2015161419.tif 000002
【特許請求の範囲】
【請求項１】
空気を吸込み排気する排気ファンと、前記排気ファンを覆うように形成されるフード部と、前記フード部の上方に接続し、屋外に連通した吐出口と、前記フード部の下方に位置し、空気を吸込む吸込口と、前記吸込口の下方に設けた整流板を備えたレンジフードであって、
前記整流板は、取り外しができるように、かつ少なくとも一箇所を前記フード部に接触する接触部を設けて前記フード部の下方に取り付けられ、前記接触部は導電体で形成し、前記フード部の内部には、前記整流板の前記接触部に対向して誘導型の近接検知手段を設けたレンジフード。
【請求項２】
前記排気ファンの運転制御を行う制御部を備え、前記近接検知手段が前記整流板と前記フード部との非接触を検知したときには、前記制御部は、前記排気ファンを停止させる請求項１記載のレンジフード。
【請求項３】
前記フード部の下面となる外郭板は非磁性体金属で形成した請求項１または２記載のレンジフード。
【発明の詳細な説明】
【技術分野】
【０００１】
本発明は、キッチンの空気中に含まれるゴミ、埃、ダニの死骸、油成分等をフィルタを介して除去し、きれいになった空気を排気ダクトを通じて屋外へ排出するレンジフードに関するものである。
【背景技術】
【０００２】
従来のレンジフードは、図６に示すように、吸込み部を有する排気用ファン１０１と、排気用ファン１０１を収容するケーシング１０２と、整流板１０３を下方に取り外し可能になるように、取り付けたフード部１０４とを備えている。ケーシング１０２の底壁側には、下方に開口した排気用の吸込口１０５が形成されており、排気用ファン１０１の吸い込み部が排気用の吸込口１０５と連通している。排気用ファン１０１の吹き出し口に接続された排気ダクト１０６は、ケーシング１０２の外部に延びている。フード部１０４の上面は天板１０７で構成されている。天板１０７はケーシング１０２の隔壁１０８の吸込口１０５を塞がないように配置される。天板１０７と隔壁１０８との間は制御部１０９、スイッチ部１１０、近接センサ１１１等の配線を行う配線用通路となっている。隔壁１０８の下方には、平面視矩形状の整流板１０３が配置されている。この整流板１０３は、排気用ファン１０１を駆動するときには、排気用の吸込口１０５を覆い隠すように、フード部１０４の下面に近接して取り付けられる。そして、整流板１０３の外周端部とフード部１０４の外周側壁との間に、環状の狭幅の流路１１２が形成されている（以降、この整流板１０３の位置を使用状態位置と呼ぶ）。また、隔壁１０８下面と整流板１０３の上面との間はフード内通路となっており、このフード内通路を介して流路１１２とケーシング１０２底壁の排気用の吸込口１０５とが連通している。ここで、環状の流路１１２を狭幅に形成することで、整流板１０３に当たった汚染空気が狭幅の流路１１２内へと高速で流入するようになる。これにより、ケーシング１０２側方への汚染空気の溢流が抑制されて、ケーシング１０２底壁の排気用の吸込口１０５を経由する汚染空気の捕獲率が向上する。フード部１０４には整流板１０３を固定する取付金具１１３を備え、整流板１０３が固定された状況では近接センサ１１１の検出面１１４に対峙した位置で保たれるようになる。
【０００３】
レンジフードの整流板１０３の取付金具１１３側を垂下させた状態（非使用状態位置）において、不用意に排気用ファン１０１が回転しないようにするための安全装置として近接センサ１１１を備えている。レンジフードが使用状態であること、すなわち、整流板１０３の取付金具１１３側がフード部１０４に固定されて、排気用ファン１０１が動作状態であることを近接センサ１１１により検出するようにしてある。
【０００４】
この従来例の近接センサ１１１は、整流板１０３の取付金具１１３側と対向するフード部１０４内の前端側に収納されていると共に、フード部１０４の天板１０７の下面側に取り付けられている。近接センサ１１１の内部には、整流板１０３に取り付けられた整流板１０３の取付金具１１３の磁性体１１５の近接を検出するための、図示しないリードスイッチと永久磁石とが設けられている。これにより近接センサ１１１と磁性体１１５は、整流板１０３が使用状態用位置に位置しているか、或いは使用状態用位置ではない非使用状態用位置に位置しているかの、いずれの状態であるのかを検出する検出部を構成する。
【０００５】
この構成により、検出部によって整流板１０３が使用状態用位置にいることを検出し、スイッチ部１１０により排気用ファン１０１の起動する指令が入力されたときに、制御部１０９は排気用ファン１０１の起動を行う通常モード用の制御を実行する。また、通常モード用制御の実行中に、検出部によって整流板１０３が非使用状態用位置にいることを検出したときには、排気用ファン１０１の運転を停止する。近接センサ１１１によって整流板１０３が非使用状態用位置にいることを検出した状態においては、スイッチ部１１０に排気用ファン１０１を起動する指令が入力されても、排気用ファン１０１の起動を行わず排気用ファン１０１の停止を維持する（例えば、特許文献１参照）。
【先行技術文献】
【特許文献】
【０００６】
【特許文献１】特開２０１２−２２９８５６号公報
【発明の概要】
【発明が解決しようとする課題】
【０００７】
このような従来のレンジフードでは、整流板１０３に磁性体１１５のような整流板１０３とは別の部品を備えていた。すなわち、レンジフードは、コンロの近傍（さらに言えば、上方）に設けられるので、高温に耐えられる金属の一枚板で形成されるものである。従って、従来のレンジフードにおける磁力検知型の近接センサ１１１では、整流板１０３上に磁性体１１５を取り付けることになり、磁性体１１５の部分が突出することになり、整流板１０３を完全にフラットにすることができない。また、金属板に開口を設けて磁性体１１５を取り付けたとしても、凸部ができるのは避けられず、また、取付け部分に継ぎ目ができることになる。
【０００８】
そのため、油煙で汚れやすい整流板１０３を掃除するときに、磁性体１１５の取付け部の接続箇所の継ぎ目が掃除しにくいなど課題があった。
【０００９】
そこで本発明は、整流板１０３に検出用の部品を設けることなく、また、フード部１０４と整流板１０３をフラットにした中で、整流板１０３の取り外しを検知が可能とした掃除性を向上したレンジフードを提供することを目的とする。
【課題を解決するための手段】
【００１０】
本発明のレンジフードは上記目的を達成するために、空気を吸込み排気する排気ファンと、前記排気ファンを覆うように形成されるフード部と、前記フード部の上方に接続し、屋外に連通した吐出口と、前記フード部の下方に位置し、空気を吸込む吸込口と、前記吸込口の下方に設けた整流板を備えたレンジフードであって、前記整流板は、取り外しができるように、かつ少なくとも一箇所を前記フード部に接触する接触部を設けて前記フード部の下方に取り付けられ、前記接触部は導電体で形成し、前記フード部の内部には、前記整流板の前記接触部に対向して誘導型の近接検知手段を設けたことを特徴としたものであり、所期の目的を達成するものである。
【発明の効果】
【００１１】
空気を吸込み排気する排気ファンと、前記排気ファンを覆うように形成されるフード部と、前記フード部の上方に接続し、屋外に連通した吐出口と、前記フード部の下方に位置し、空気を吸込む吸込口と、前記吸込口の下方に設けた整流板を備えたレンジフードであって、前記整流板は、取り外しができるように、かつ少なくとも一箇所を前記フード部に接触する接触部を設けて前記フード部の下方に取り付けられ、前記接触部は導電体で形成し、前記フード部の内部には、前記整流板の前記接触部に対向して誘導型の近接検知手段を設けることで、整流板側に磁石が必要なく検出できるため、製品に凹凸がなく掃除性の良いレンジフードを提供できるという効果を奏する。
【図面の簡単な説明】
【００１２】
【図１】本発明の実施の形態１のレンジフードの概観図
【図２】本発明の実施の形態１の整流板とレンジフードの関係図
【図３】本発明の実施の形態１の検知手段の概略図
【図４】本発明の実施の形態１の検知距離と検知手段出力の関係図
【図５】本発明の実施の形態２の整流板とレンジフードの関係図
【図６】従来のレンジフードの図
【発明を実施するための形態】
【００１３】
本発明の請求項１記載のレンジフードは、空気を吸込み排気する排気ファンと、前記排気ファンを覆うように形成されるフード部と、前記フード部の上方に接続し、屋外に連通した吐出口と、前記フード部の下方に位置し、空気を吸込む吸込口と、前記吸込口の下方に設けた整流板を備えたレンジフードであって、前記整流板は、取り外しができるように、かつ少なくとも一箇所を前記フード部に接触する接触部を設けて前記フード部の下方に取り付けられ、前記接触部は導電体で形成し、前記フード部の内容には、前記整流板の前記接触部に対向して誘導型の近接検知手段を設ける構成を有する。
【００１４】
これにより、整流板側に磁石が必要なく検出できるため、製品に凹凸がなく掃除性の良いレンジフードを提供できる。
【００１５】
本発明の請求項２記載のレンジフードは、排気ファンの運転制御を行う制御部を備え、
近接検知手段が整流板とフード部との非接触を検知したときには、制御部は、排気ファンを停止させる構成を有する。
【００１６】
これにより、整流板を取り外した状態で誤って動作中の排気ファンに触れることが無いレンジフードを提供できる。
【００１７】
本発明の請求項３記載のレンジフードは、検知手段と整流板を介す製品外郭板を非磁性体の金属とし、検知手段からの出力値がレンジフードの外郭板を検知している状態を初期状態として補正し、整流板を検知したときの出力を、初期状態からの変化量で検知する構成を有する。
【００１８】
これにより、製品外郭の継ぎ目を無くすことができ、整流板検出箇所を完全にフラットにすることができ、掃除性が向上する。
【００１９】
以下、本発明の実施の形態について図面を参照しながら説明する。
【００２０】
（実施の形態１）
図１に示すように、本実施の形態によるレンジフード１は、空気を吸込み排気する排気ファン２と、排気ファン２を覆うように形成されるフード部３と、フード部３の上方に接続し、屋外に連通した吐出口４と、フード部３の下方に位置し、空気を吸込む吸込口５と、吸込口５の下方に設けた整流板６を備えたものである。整流板６は、取り外しができるように、かつ少なくとも一箇所をフード部３に接触する接触部７を設けてフード部３の下方に取り付けられる。接触部７は導電体で形成し、フード部３の内部には、整流板６の接触部７に対向して誘導型の近接検知手段８を備えている。
【００２１】
図２に示すように、整流板６は、レンジフード１に導電体である接触部７を有する取付金具９を備えている。取付金具９は、整流板６をフード部３に固定し、使用可能な状態、すなわち、使用可能位置にセットするものである。本実施の形態における取付金具９は、整流板６の端部付近に設けられている。この取付金具９の位置は、特に汚れのひどくなる吸込口５直下から離れた位置である。また、取付金具９は、整流板６と一体成型であり凹凸の少ない構造となっている。そして、取付金具９は、空気の流れを邪魔しないよう、小さな部品となっている。この取付金具９の少なくともひとつに接触部７が設けられている。
【００２２】
整流板６の取付金具９と逆側の辺には軸支部１０を備え、整流板６をフード部３に軸支部１０で固定して、軸支部１０を中心に弧状に整流板６が取付金具９に固定される。整流板６がフード部３に固定されたとき、フード部３に接触部７が接触する。整流板６がフード部３に固定されているとき、接触部７と近接検知手段８は樹脂等の非導電体１１を挟んで近接している。通常、整流板６はフード部３内に付着した油煙の滴下防止や，フード部３と整流板６の間を通る風速を上げてフード部３から溢れる汚染空気を減らし、換気量を増やす目的として取り付けられるが、運転時に使用者が排気ファン２に誤って触れることを防ぐ目的としても利用される。
【００２３】
レンジフード１の掃除などの際には、整流板６を外して、フード部３内や排気ファン２をメンテナンスすることになる。そのとき、誤って動作中の排気ファン２に触れてしまわないように保護手段を設ける必要がある。すなわち、整流板６を外したときには、排気ファン２を停止させる。しかしながら、保護手段を設けることによってレンジフード１の掃除性が悪くなることは避けなければならず、油煙や埃が堆積しても掃除性を考慮した検知手段が求められる。図３に示すように、近接検知手段８は、コイル１３に交流電流を流すことで磁束を発生するような誘電型方式である。コイル１３は基板の銅箔パターンで渦巻状に形成されたものである。交流電流はコイル１３に接続された制御手段１２から発振波形として出力される。
【００２４】
整流板６は、図１に示すように、通常使用時にはレンジフード１に水平に取り付けられる（使用状態位置）。この使用状態位置においては、整流板６を本体に固定する取付金具９で取り付けられ、接触部７が近接検知手段８と近接する位置にある。この時、近接検知手段８のコイル１３には交流電流が流れるため交流磁場が発生し、近接する誘電体である接触部７に渦電流が発生する。渦電流が流れた接触部７からも磁束が発生し、この磁束が近接検知手段８のコイル１３に加算されて、コイル１３に誘起電圧が発生する。コイル１３に流した電流に対してコイル１３に生じた電圧の比がコイル１３のインピーダンスになるため、コイル１３のインピーダンスが変化することになる。コイル１３のインピーダンスが変化すると、制御手段１２からの発振波形の振幅や周波数に変化を生じる。この変化が検知信号となる。接触物が磁性金属である場合は検出するコイル１３の損失の変化を検出して、発振波形の振幅に変化があり、非磁性金属である場合はコイル１３のインダクタンス変化を検出して周波数に変化がある。
【００２５】
図４に示すように、近接検知手段８と接触部７との検知距離ｄが近くなると、近接検知手段８の出力が上昇する。そのため、近接検知手段８が接触部７を常時検知し続けることができる。このようにして、整流板６がレンジフード１に取り付けられた状態を近接検知手段８が検出できることになる。
【００２６】
また、前述したように、レンジフード１の掃除の際には、整流板６を取り外し、フード内を清掃することになる。その際には、図２に示すように、近接検知手段８と接触部７が離れる。近接検知手段８と接触部７が離れると、コイル１３から発する交流磁場により誘電される物体が無くなる。そのため、近接検知手段８のコイル１３には渦電流が加算されることはなく、図４に示すように、近接検知手段８の出力が減少する。
【００２７】
このようにして、整流板６の位置関係により近接検知手段８の出力が変動するため、制御手段１２の中で閾値を設けることで整流板６が、使用状態位置、または排気ファン２が駆動していない非使用状態位置どちらにあるか、判断することが出来る。整流板６を検知しない時（非使用状態位置）には、排気ファン２に手が触れる可能性があると判断し、制御手段１２は排気ファン２を停止する。
【００２８】
これにより、調理時にフード部３から垂れる油煙や埃などが付着し、堆積しやすい整流板６の受け側部分に磁石等の取付けをすることがなくなり、整流板６の受け側をフラットにすることができる。整流板６全体としても凹凸を最小限にする構成にすることができる。結果、従来磁石を覆うケースが整流板６に備え付けられているためにコーナー部や接続部が発生して掃除がし難いという課題を解決し、メンテナンス時に排気ファン２に誤って触れることを避け、かつ掃除性に優れたレンジフード１を提供できる。
【００２９】
ここで、検知する誘電体を接触部７としたが、整流板６に有する誘電体で同様の効能が得られればこの限りではない。また、図４に示すように、検知方法を閾値レベルで判定しているが、変化量検知など同様の効能が得られればこの限りではない。また、コイル１３を基板の銅箔パターンで渦巻状に形成されたものとしたが、同様の効能が得られればこの限りではない。
【００３０】
（実施の形態２）
図５に示すように、近接検知手段８と接触部７は非磁性体であるステンレス板１４を介して近接しており、ステンレス板１４は接触部７と近接検知手段８の間を介する非導電体としての役割だけではなく、レンジフード１の外郭板金として使用される。
【００３１】
ステンレス板１４は磁性体ではないため、近接検知手段８のコイル１３に交流電流が流れてもステンレスが誘電されて交流磁場が発生しない。そのため、ステンレス板１４を介した取付金具９に発生する渦電流により発生する交流磁場からの磁束をコイル１３側で加算することができ、検知信号として検出することができる。
【００３２】
このようにして、レンジフード１の外郭を非磁性体の金属材料を使用することで、凹凸や継ぎ目のないフラットなレンジフード１を構成でき、掃除性を向上することができる。
【００３３】
ここで、非磁性体の金属としてステンレス板１４としたが、同様の効能が得られればこの限りではない。
【産業上の利用可能性】
【００３４】
本発明のレンジフードは掃除性に優れたレンジフードを提供できるため家庭用の用途のほか、食堂やホテルなどの業務用の用途などにも適用できる。
【符号の説明】
【００３５】
１  レンジフード
２  排気ファン
３  フード部
４  吐出口
５  吸込口
６  整流板
７  接触部
８  近接検知手段
９  取付金具
１０  軸支部
１１  非導電体（樹脂）
１２  制御手段
１３  コイル
１４  ステンレス板
１０１  排気用ファン
１０２  ケーシング
１０３  整流板
１０４  フード部
１０５  吸込口
１０６  排気ダクト
１０７  天板
１０８  隔壁
１０９  制御部
１１０  スイッチ部
１１１  近接センサ
１１２  流路
１１３  取付金具
１１４  検出面
１１５  磁性体
【図１】
2015161419.tif 000003
【図２】
2015161419.tif 000004
【図３】
2015161419.tif 000005
【図４】
2015161419.tif 000006
【図５】
2015161419.tif 000007
【図６】
2015161419.tif 000008